(57)【要約】【課題】配線の本数が多く、太さが異なる場合であっても、隙間が生じにくい配線保護部材を提供する。【解決手段】配線保護部材１０，１１０は、ハウジング２に設けられた孔５，５ａを通して、このハウジング２の外部へと引き出されている配線７を保護するものであって、板状の弾性部材からなり、左右非対称のスリット２０，１２０を備える。配線保護構造は、ハウジング２に設けられた孔５，５ａを通して、このハウジング２の内部から外部に引き出されている配線７を保護する板状の弾性部材からなり、左右非対称のスリット２０，１２０を備えた配線保護部材１０，１１０を、孔５，５ａの両面に、孔５，５ａに対する上下方向と貼り付け面を同一方向として備える。【選択図】図３
2018137328.tif 000002
【特許請求の範囲】
【請求項１】
ハウジングに設けられた孔を通して、このハウジングの外部へと引き出されている配線を保護する配線保護部材であって、
板状の弾性部材からなり、左右非対称のスリットを備えたこと
を特徴とする配線保護部材。
【請求項２】
前記スリットは、
前記孔に対応する溝または突条部によって囲まれてなること
を特徴とする請求項１に記載の配線保護部材。
【請求項３】
前記スリットは、
前記配線保護部材の短手方向のほぼ中央に配置され、
長手方向に延伸された直線部と、
前記直線部を中心とする複数の斜線部と、
前記直線部の両端から、この両端をそれぞれ中心として長手方向に突出する半円の外周部付近まで延伸された複数の直線と、
からなること
を特徴とする請求項１または請求項２に記載の配線保護部材。
【請求項４】
前記スリットは、
前記配線保護部材の短手方向のほぼ中央に配置された点から、
この点を中心とする円の外周部付近まで延伸された複数の直線からなること
を特徴とする請求項１または請求項２に記載の配線保護部材。
【請求項５】
ハウジングに設けられた孔を通して、このハウジングの内部から外部に引き出されている配線を保護する板状の弾性部材からなり、左右非対称のスリットを備えた配線保護部材を、
前記孔の両面に、前記孔に対する上下方向と貼り付け面を同一方向として備えること
を特徴とする配線保護構造。
【発明の詳細な説明】
【技術分野】
【０００１】
本発明は、電子機器の配線保護部材として好適である。
【背景技術】
【０００２】
電子機器の配線保護部材として、例えば、特許文献１に開示されるものがある。
【０００３】
特許文献１に示されるような、配線保護部材は、ケーブルブッシュリングを用いることによって、防水が得られ、解体、再組立を容易にするものである。
【先行技術文献】
【特許文献】
【０００４】
【特許文献１】特開２００７−１８８９５号公報
【発明の概要】
【発明が解決しようとする課題】
【０００５】
しかしながら、配線の本数が多く、太さが異なる場合、特許文献１で開示された保護構造では隙間が生じるなど、改善の余地があった。
【０００６】
本発明は、上記問題点に鑑みてなされたものであり、配線の本数が多く、太さが異なる場合であっても、隙間が生じにくい配線保護部材を提供することを目的とする。
【課題を解決するための手段】
【０００７】
本発明に係る配線保護部材１０，１１０は、
ハウジング２に設けられた孔５，５ａを通して、このハウジング２の外部へと引き出されている配線７を保護するものであって、
板状の弾性部材からなり、左右非対称のスリット２０，１２０を備えたこと
を特徴とする
【０００８】
スリット２０，１２０は、
孔５，５ａに対応する溝１１，１１１または突条部によって囲まれてなること
を特徴とする。
【０００９】
スリット２０は、
配線保護部材１０の短手方向のほぼ中央に配置され、
長手方向に延伸された直線部２１と、
直線部２１を中心とする複数の斜線部２２と、
直線部２１の両端１２ａ，１３ａから、この両端１２ａ，１３ａをそれぞれ中心として長手方向に突出する半円１２，１３の外周部付近まで延伸された複数の直線２３，２４と、
からなること
を特徴とする。
【００１０】
スリット１２０は、
配線保護部材１１０の短手方向のほぼ中央に配置された点１１２ａ，１１３ａから、
この点１１２ａ，１１３ａを中心とする円１１２，１１３の中心から外周部付近まで延伸された複数の直線１２１，１２２からなること
を特徴とする。
【００１１】
本発明の配線保護構造は、
ハウジング２に設けられた孔５，５ａを通して、このハウジング２の内部から外部に引き出されている配線７を保護する板状の弾性部材からなり、左右非対称のスリット２０を備えた配線保護部材１０，１１０を、
孔５，５ａの両面に、孔５，５ａに対する上下方向と貼り付け面を同一方向として備えること
を特徴とする。
【発明の効果】
【００１２】
本発明によれば、配線の本数が多く、太さが異なる場合であっても、隙間が生じにくい配線保護部材を提供することができる。
【図面の簡単な説明】
【００１３】
【図１】操作パネルユニットの全体図である。
【図２】ハウジングと孔の要部拡大図（第１実施形態）。
【図３】（ａ）配線保護部材を表面から見た図、（ｂ）同配線保護部材を裏面から見た図（第１実施形態）。
【図４】（ａ）ハウジングの片面に配線保護部材を貼付した状態を示す図、（ｂ）（ａ）をハウジングの逆側の面からみた図、（ｃ）ハウジングの両面に配線保護部材を貼付した状態を示す図（第１実施形態）。
【図５】ハウジングと孔の要部拡大図（第２実施形態）。
【図６】（ａ）配線保護部材を表面から見た図、（ｂ）同配線保護部材を裏面から見た図（第２実施形態）。
【図７】（ａ）ハウジングの片面に配線保護部材を貼付した状態を示す図、（ｂ）（ａ）をハウジングの逆側の面からみた図、（ｃ）ハウジングの両面に配線保護部材を貼付した状態を示す図（第２実施形態）。
【発明を実施するための形態】
【００１４】
以下に、本発明の第１実施形態に係る配線保護部材を添付図面に基づいて説明する。
図のＵ，Ｄ，Ｒ，Ｌはそれぞれ上、下、右、左を示している。また、配線保護部材の短手方向は上下方向、長手方向は左右方向である。
【００１５】
本発明による電子機器の配線保護部材は、例えば表面側の軟質ウレタンフォームと裏面側のＰＥＴ（Polyethylene terephthalate）基材とが積層された弾性を有する薄板状のシート材であり、さらに積層状態で後述するスリットが加工処理される。この配線保護部材は、電子機器のハウジングに設けられた配線引き出し穴に取り付けられる。軟質ウレタンフォームは、モールドなどの方法によって形成されている。この配線保護部材に軟質ウレタンフォームを用いることにより、配線が該配線引き出し穴の縁部に直接触れ難くなるため、配線が傷つきにくい。また、裏面側にＰＥＴ基材を用いることにより、配線保護部材の伸縮を抑制し、ハウジングへの接着による取り付けが容易となる。なお、本実施形態では、ビルの壁面などに取り付けられる操作パネルユニット１の配線保護部材１０について、以下に説明する。
【００１６】
操作パネルユニット１は、図１（ａ）に示すように、ハウジング２と液晶表示素子３と操作スイッチ４、また図２に示すように、ハウジング２の底面や側面に長穴形状の配線引き出し穴（孔）５を備え、ビルの壁面Ｗに取り付けられている。
【００１７】
操作パネルユニット１のハウジング２内には、図１（ｂ）に示すように、回路基板６が配設されている。回路基板６は、例えば操作パネルユニット１の図示しないスイッチ素子や、液晶表示素子３、これらを駆動したり信号を入出力するための図示しない配線や電子部品を実装するもので、ガラスエポキシ樹脂等を基材として銅箔パターンを形成する硬質プリント基板を適用できる。また、この回路基板６には、外部に引き出される電源や信号線などの複数の配線７が設けられている。
【００１８】
複数の配線７は、配線引き出し穴５に取り付けられた配線保護部材１０を通してハウジング２外部に引き出され、壁面Ｗ内に設けられたコンセントの端子や、他の機器に接続されるコネクタなどに取り付けられる。
【００１９】
配線保護部材１０は、図３に示すように、裏面（貼付面）側に、配線引き出し穴５と同形状の長穴状の溝１１に囲まれた左右非対称のスリット２０を備えている。スリット２０は、配線保護部材１０の短手方向のほぼ中央に配置され、溝１１両端の半円１２，１３の中心１２ａ，１３ａを結ぶ直線部２１と、直線部２１と交差する複数の斜線部２２と、中心１２ａ，１３ａから半円１２，１３の外周部付近まで延伸された複数の直線２３，２４から形成されている。なお、直線部２１の両端は１２ａ，１３ａである。
【００２０】
配線保護部材１０は、溝１１の外側部分に両面テープ（接着シート）が貼付され、図４に示すように、配線引き出し穴５と溝１１が重なるように、配線引き出し穴５の両面に２枚１組かつ上下同一の向きで張り付けられる。また、配線保護部材１０の端部には、左右何れかの短辺に切り欠き部１４が形成され、配線保護部材１０の左右方向を識別可能にしている。この切り欠き部１４は、配線保護部材１０のうち何れかの角部を切り欠いて形成することもできる。また、ハウジング２側に、この切り欠き部１４に対応する矢印などマークが形成されると、より判別しやすい。
【００２１】
板状の弾性部材に左右非対称のスリット２０を設けることによって、配線の本数が多く、太さが異なる場合であっても、スリット２０によって開口面積を抑えることができる。したがって、配線保護部材１０は隙間が生じにくい。
【００２２】
また、左右非対称のスリット２０を備えた配線保護部材１０を配線引き出し穴５の両面に貼付することによって、スリットの位置が異なるため、埃や虫などの異物がハウジング２内部へ侵入することを抑える効果が期待できる。また、両面に配線保護部材１０を設けることで、配線引き出し穴５の両面側の縁部と配線７とが接触し難くなる。
【００２３】
以下、図５から図７を用いて、本発明の第２実施形態を説明する。
【００２４】
ハウジング２ａには、２つの配線引き出し穴（孔）５ａ（左：５ａ１，右：５ａ２）が設けられている。
配線保護部材１１０は、図６に示すように、裏面（貼付面）側に、配線引き出し穴５ａと同形状の円形状の溝１１１（左：１１２，右：１１３）に囲まれた左右非対称のスリット１２０を備えている。スリット１２０は、配線保護部材１１０の短手方向の左右に配置され、溝１１１を構成する左右の円１１２，１１３の中心（点）１１２ａ，１１３ａによって定まる円（同心円）１１２，１１３の外周部付近まで放射状に延伸された同じ長さの複数の直線１２１，１２２から形成されている。即ち、配線引き出し穴５ａよりも径小な大きさで、１点（中心点）から半径方向に延びる複数の直線形状のスリットが形成される。
【００２５】
配線保護部材１１０は、溝１１１の外側部分に両面テープが貼付され、図７に示すように、配線引き出し穴５ａと溝１１１が重なるように、配線引き出し穴５ａの両面に２枚１組かつ上下同一の向きで張り付けられる。この際、複数の直線１２１と複数の直線１２２とが重ならない位置となる。
【００２６】
第２実施形態においても、第１実施形態の場合と同様の効果が期待できる。
【００２７】
本発明は、上記実施形態に限定するものではなく、種々の変形が可能である。
【００２８】
上述実施形態では、スリット２０，１２０の周囲を溝１１，１１１によって囲う場合を例示したが、配線保護部材１０，１１０貼付時の位置決めが出来ればよく、スリットの周囲を突条部で囲むことで、同様の効果が期待できる。
【００２９】
上述実施形態では、スリット形状を明確にするため、点を中心とした半円または円の外周部周辺まで延伸する直線という説明を用いたが、半円や円は必ずしも実在する必要はなく、仮想的な半円や円の外周部周辺まで延伸する直線であっても、同様の効果が期待できる。
【００３０】
上述実施形態では配線保護部材を両面テープによって貼付したが、接着剤によって貼付しても差し支えない。
【００３１】
上述実施形態では配線保護部材の材質が軟質ウレタンフォームとＰＥＴ基材からなる場合を例示したが、ハウジングと配線などを緩衝するものであれば良く、例えば材質が合成ゴムによる場合であっても、同様の効果が期待できる。
【００３２】
上述実施形態では、操作スイッチを備えた電子機器の操作パネルユニットに用いるものとしたが、これに限定するものではなく、他のユニット、例えばタッチパネルを備えた電子機器の操作パネルユニットに用いても差し支えない。
【００３３】
また、添付図面ではスリットが１つまたは２つの場合を例示したが、スリットの数は任意である。
【産業上の利用可能性】
【００３４】
本発明は、電子機器の配線保護部材として好適である。
【符号の説明】
【００３５】
１      操作パネルユニット
２      ハウジング
２ａ    ハウジング
３      液晶表示素子
４      操作スイッチ
５      配線引き出し穴（孔）
５ａ    敗戦引き出し穴（孔）
５ａ１  穴
５ａ２  穴
６      回路基板
７      配線
１０      配線保護部材
１１      溝
１２      半円
１２ａ    中心
１３      半円
１３ａ    中心
１４      切り欠き部
２０      スリット
２１      直線部
２２      斜線部
２３      直線
２４      直線
１１０      配線保護部材
１１１      溝
１１２      円
１１２ａ    中心（点）
１１３      円
１１３ａ    中心（点）
１１４      切り欠き部
１２０      スリット
１２１      直線
１２２      直線
Ｕ          上
Ｄ          下
Ｒ          右
Ｌ          左
Ｗ          壁面
【図１】
2018137328.tif 000003
【図２】
2018137328.tif 000004
【図３】
2018137328.tif 000005
【図４】
2018137328.tif 000006
【図５】
2018137328.tif 000007
【図６】
2018137328.tif 000008
【図７】
2018137328.tif 000009